(57)【特許請求の範囲】
【請求項１】
生産ラインのプロセスを制御、管理するプロセス制御用計算機のテストを支援するテスト支援装置であって、
前記プロセス制御用計算機が受信する伝文を登録する受信伝文登録手段と、
前記受信伝文登録手段で登録された伝文のうち、前記生産ライン上の設備の稼動状況に応じて前記プロセス制御用計算機が受信する伝文について、前記プロセス制御用計算機にテストデータを送信するタイミングを設定するタイミング設定手段と、
テストの開始後に、前記受信伝文登録手段で登録された伝文及び前記タイミング設定手段で設定されたタイミングに従ってテストデータを前記プロセス制御用計算機に送信するテスト実行手段とを備えたことを特徴とするプロセス制御用計算機のテスト支援装置。
【請求項２】
前記受信伝文登録手段は、前記プロセス制御用計算機が受信する伝文の仕様書のファイルに基づいて、前記プロセス制御用計算機が受信する伝文を登録することを特徴とする請求項１に記載のプロセス制御用計算機のテスト支援装置。
【請求項３】
前記テスト実行手段はユーザからの指示に応じてテストを開始することを特徴とする請求項１又は２に記載のプロセス制御用計算機のテスト支援装置。
【請求項４】
前記テスト実行手段により前記プロセス制御用計算機に送信したテストデータのデータログを記録するデータログ記録手段を備えたことを特徴とする請求項１乃至３のいずれか１項に記載のプロセス制御用計算機のテスト支援装置。
【請求項５】
前記テスト実行手段は、前記受信伝文登録手段で登録された伝文のうち、瞬時値については乱数をテストデータとして送信することを特徴とする請求項１乃至４のいずれか１項に記載のプロセス制御用計算機のテスト支援装置。
【請求項６】
前記テスト実行手段は、前記受信伝文登録手段で登録された伝文のうち、積算値についてはテストの開始後からの経過時間に応じて求めた積算値をテストデータとして送信することを特徴とする請求項１乃至５のいずれか１項に記載のプロセス制御用計算機のテスト支援装置。
【請求項７】
生産ラインのプロセスを制御、管理するプロセス制御用計算機のテストをテスト支援装置により支援するテスト支援方法であって、
前記プロセス制御用計算機が受信する伝文を登録する受信伝文登録手順と、
前記受信伝文登録手順で登録された伝文のうち、前記生産ライン上の設備の稼動状況に応じて前記プロセス制御用計算機が受信する伝文について、前記プロセス制御用計算機にテストデータを送信するタイミングを設定するタイミング設定手順と、
テストの開始後に、前記受信伝文登録手順で登録された伝文及び前記タイミング設定手順で設定されたタイミングに従ってテストデータを前記プロセス制御用計算機に送信するテスト実行手順とを有することを特徴とするプロセス制御用計算機のテスト支援方法。
【請求項８】
生産ラインのプロセスを制御、管理するプロセス制御用計算機のテストを支援するためのプログラムであって、
前記プロセス制御用計算機が受信する伝文を登録する受信伝文登録処理と、
前記受信伝文登録処理で登録された伝文のうち、前記生産ライン上の設備の稼動状況に応じて前記プロセス制御用計算機が受信する伝文について、前記プロセス制御用計算機にテストデータを送信するタイミングを設定するタイミング設定処理と、
テストの開始後に、前記受信伝文登録処理で登録された伝文及び前記タイミング設定処理で設定されたタイミングに従ってテストデータを前記プロセス制御用計算機に送信するテスト実行処理とをコンピュータに実行させるためのプログラム。
【発明の詳細な説明】
【技術分野】
【０００１】
本発明は、生産ラインのプロセスを制御、管理するプロセス制御用計算機のテストを行うのに好適なテスト支援装置、方法及びプログラムに関する。
【背景技術】
【０００２】
例えば製鉄所における製鋼工程のプロセスの制御、管理には、操業時の実績収集用又は制御用のアプリケーションプログラム（ＡＰ）を実行することにより、製鋼工程上の電気計装を含む設備群と伝文を送受信して、生産情報の採集、分析、計算等を行うプロセス制御用計算機が用いられる。
【０００３】
通常、プロセス制御用計算機は、プロセス制御システムの機能・機構・処理設計から始まり、製作・テストを経た上で実用化される。プロセス制御用計算機のアプリケーションプログラム（ＡＰ）の機能検証については、プロセス制御計算機単身での検証を実施した後に、機械設備や電気設備と連動させての総合試運転を実施する。しかし、プロセス制御用計算機単身でのテスト段階では伝文をやりとりする機械設備や電気設備は無いため、伝文の送受信をシミュレートすることが必要となる。伝文の送受信をシミュレーションするテストを行う際には、どのタイミングでどういったデータをプロセス制御用計算機に与えるかについてのテストシナリオを作成する必要がある。
【先行技術文献】
【特許文献】
【０００４】
【特許文献１】特開平１１−３５３２０６号公報
【特許文献２】特開２００５−３２２１５７号公報
【発明の概要】
【発明が解決しようとする課題】
【０００５】
従来、テストシナリオはコマンドライン入力で開発担当者等が作成しているが、テストシナリオコマンドを正確に把握していないとテストシナリオを作成することができず、専門家でないとテストシナリオを作成するのが難しいという問題があった。
【０００６】
計算機のテストを支援する技術として、例えば特許文献１には、テストのためのデータをユーザが対話的に作成可能とするテスト支援システムが開示されている。しかしながら、結局はテストシナリオの手動作成であり、作成しなければならないデータやイベントの量が多く、多くの時間を要し、非効率的である。
【０００７】
また、例えば特許文献２には、本番系システムで稼動している既設計算機が機械設備や電気設備等から受信している信号を横取りして新設計算機に受信させて新設計算機の運転テストを支援するテスト支援装置が開示されている。しかしながら、既設計算機及び新設計算機における操業に係る運転条件（例えば操業条件や設備条件）が同一であることが前提となり、既設計算機とは運転状況が異なる場合や既設計算機がない場合は運転テストを支援することが困難である。
【０００８】
本発明は上記のような点に鑑みてなされたものであり、プロセス制御用計算機に送信するテストデータを簡単に登録でき、しかも既設計算機とは運転状況が異なる場合や既設計算機がない場合でもテストを、従来よりも効率的に行えるようにすることを第１の目的とする。また、一旦構成したテスト支援装置を類似の工程のプロセス制御用計算機のテスト支援へ適用することを容易にすることを第２の目的とする。
【課題を解決するための手段】
【０００９】
本発明のプロセス制御用計算機のテスト支援装置は、生産ラインのプロセスを制御、管理するプロセス制御用計算機のテストを支援するテスト支援装置であって、前記プロセス制御用計算機が受信する伝文を登録する受信伝文登録手段と、前記受信伝文登録手段で登録された伝文のうち、前記生産ライン上の設備の稼動状況に応じて前記プロセス制御用計算機が受信する伝文について、前記プロセス制御用計算機にテストデータを送信するタイミングを設定するタイミング設定手段と、テストの開始後に、前記受信伝文登録手段で登録された伝文及び前記タイミング設定手段で設定されたタイミングに従ってテストデータを前記プロセス制御用計算機に送信するテスト実行手段とを備えたことを特徴とする。
また、本発明のプロセス制御用計算機のテスト支援装置の他の特徴とするところは、前記受信伝文登録手段は、前記プロセス制御用計算機が受信する伝文の仕様書のファイルに基づいて、前記プロセス制御用計算機が受信する伝文を登録する点にある。
また、本発明のプロセス制御用計算機のテスト支援装置の他の特徴とするところは、前記テスト実行手段はユーザからの指示に応じてテストを開始する点にある。
また、本発明のプロセス制御用計算機のテスト支援装置の他の特徴とするところは、前記テスト実行手段により前記プロセス制御用計算機に送信したテストデータのデータログを記録するデータログ記録手段を備えた点にある。
また、本発明のプロセス制御用計算機のテスト支援装置の他の特徴とするところは、前記テスト実行手段は、前記受信伝文登録手段で登録された伝文のうち、瞬時値については乱数をテストデータとして送信する点にある。
また、本発明のプロセス制御用計算機のテスト支援装置の他の特徴とするところは、前記テスト実行手段は、前記受信伝文登録手段で登録された伝文のうち、積算値についてはテストの開始後からの経過時間に応じて求めた積算値をテストデータとして送信する点にある。
本発明のプロセス制御用計算機のテスト支援方法は、生産ラインのプロセスを制御、管理するプロセス制御用計算機のテストをテスト支援装置により支援するテスト支援方法であって、前記プロセス制御用計算機が受信する伝文を登録する受信伝文登録手順と、前記受信伝文登録手順で登録された伝文のうち、前記生産ライン上の設備の稼動状況に応じて前記プロセス制御用計算機が受信する伝文について、前記プロセス制御用計算機にテストデータを送信するタイミングを設定するタイミング設定手順と、テストの開始後に、前記受信伝文登録手順で登録された伝文及び前記タイミング設定手順で設定されたタイミングに従ってテストデータを前記プロセス制御用計算機に送信するテスト実行手順とを有することを特徴とする。
本発明のプログラムは、生産ラインのプロセスを制御、管理するプロセス制御用計算機のテストを支援するためのプログラムであって、前記プロセス制御用計算機が受信する伝文を登録する受信伝文登録処理と、前記受信伝文登録処理で登録された伝文のうち、前記生産ライン上の設備の稼動状況に応じて前記プロセス制御用計算機が受信する伝文について、前記プロセス制御用計算機にテストデータを送信するタイミングを設定するタイミング設定処理と、テストの開始後に、前記受信伝文登録処理で登録された伝文及び前記タイミング設定処理で設定されたタイミングに従ってテストデータを前記プロセス制御用計算機に送信するテスト実行処理とをコンピュータに実行させる。
【発明の効果】
【００１０】
本発明によれば、プロセス制御用計算機がどのタイミングでどの伝文を受信すべきであるのかを簡単に登録でき、伝文仕様書からテストデータを自動生成するので効率的なテストが可能となる。しかも既設計算機とは運転状況が異なる場合や既設計算機がない場合でもテストを行うことができる。また、一旦構成したテスト支援装置を類似の工程のプロセス制御用計算機のテスト支援へ適用することが容易である。
【図面の簡単な説明】
【００１１】
【図１】実施形態に係るプロセス制御用計算機のテスト支援装置の機能構成を示す図である。
【図２】テスト支援装置が表示するメニュー画面の例を示す図である。
【図３】テスト支援装置が表示するプロコン受信伝文登録画面を示す図である。
【図４】テスト支援装置が表示する設備ステータス伝文登録画面を示す図である。
【図５】テスト支援装置が表示する設備ステータスイベント項目情報登録画面を示す図である。
【図６】テスト支援装置が表示するＧＯＴシミュレータ画面を示す図である。
【図７】テスト支援装置が表示する送信データログ選択画面を示す図である。
【図８】「定周期情報伝文」の仕様書の例を示す図である。
【図９】「ステータス情報伝文」の仕様書の例を示す図である。
【図１０】テスト支援装置が表示するテストデータのデータログ画面を示す図である。
【発明を実施するための形態】
【００１２】
以下、添付図面を参照して、本発明の好適な実施形態について説明する。
図１に、本実施形態に係るプロセス制御用計算機のテスト支援装置１００の機能構成を示す。本実施形態では、プロセス制御用計算機（以下、プロコンと称する）２００が、製鉄業における製鋼工程上の電気計装機器を含む設備群と伝文（各種データ）を送受信することによりプロセスを制御、管理する一例を説明する。
【００１３】
テスト支援装置１００は、プロコン２００を製鋼工程上の設備群に実際に接続する前段階においてプログラムのテストを行うためのものである。プロコン２００のテストとしては、プログラム毎の単体テストや機能毎の複合テストがあるが、テスト支援装置１００は、これら単体テストや複合テストの後に行う、伝文の送受信をシミュレーションしてプロコン２００のプログラム全体の機能検証を行う総合テスト（ＧＯＴ：General Online Test）を支援する。テスト支援装置１００は、製鋼工程上の設備群を模擬して操業状況を再現し、プロコン２００にテストデータを送信することにより、プロコン２００が伝文を受信するシミュレーションを実行する。
【００１４】
テスト支援装置１００において、１０１は受信伝文登録部であり、プロコン２００が受信する伝文（以下、プロコン受信伝文という）を登録する。受信伝文登録部１０１は、記憶装置１６０に格納されているプロコン受信伝文の仕様書のファイル３００に基づいてプロコン受信伝文を登録することにより、テストデータの自動生成を行う。
【００１５】
１０２はタイミング設定部であり、受信伝文登録部１０１で登録されたプロコン受信伝文のうち、製鋼工程上の設備の稼動状況に応じてプロコン２００が受信する伝文について、プロコン２００にテストデータを送信するタイミングを設定する。
【００１６】
１０３はカウンタを含むテスト実行部であり、テストの開始後に、受信伝文登録部１０１で登録されたプロコン受信伝文、及びタイミング設定部１０２で設定されたタイミングに従ってテストデータを、後記するＩ／Ｏ部を経由してプロコン２００に送信する。
【００１７】
１０４はデータログ記録部であり、テスト実行部１０３によりプロコン２００に送信したテストデータのデータログを記録する。
【００１８】
１０５はＩ／Ｏ部（入出力部）であり、例えばネートワーク接続するためのＬＡＮボードで構成するとよい。
【００１９】
１５０は表示装置であり、テスト支援装置１００はユーザが操作入力するため、及びユーザにテスト結果等の情報を提示するための各種画面を表示する。図２はユーザが操作入力するためのメニュー画面２０の例を示す図である。受信伝文登録画面ボタン２１をユーザ（テスト実施者、システム開発者）が押下すると、図３に示すプロコン受信伝文登録画面３０に移る。ステータス伝文登録画面ボタン２２を押下すると、図４に示す設備ステータス伝文登録画面４０に移る。イベント項目情報登録画面ボタン２３を押下すると、図５に示す設備ステータスイベント項目情報登録画面５０に移る。ＧＯＴシミュレータ画面ボタン２４を押下すると、図６に示すＧＯＴシミュレータ画面６０に移る。送信データログ選択画面ボタン２５を押下すると、図７に示す送信データログ選択画面７０に移る。
【００２０】
図１に説明を戻して、１６０は記憶装置であり、プロコン２００の設計時に作成されたプロコン受信伝文の仕様書のファイル３００を格納する。
【００２１】
プロコン２００において、２０１はＩ／Ｏ部（入出力部）であり、例えばネートワーク接続するためのＬＡＮボードで構成するとよい。
【００２２】
２０２はＡＰ処理部であり、アプリケーションプログラム（ＡＰ）を実行することにより、製鋼工程上の電気計装を含む設備群と伝文を送受信して、生産情報の採集、分析、計算等を行う。
【００２３】
（テスト支援装置１００へのプロコン受信伝文の登録）
図３に示すプロコン受信伝文登録画面３０では、「応答受信伝文」、「ステータス情報伝文」、「合金銘柄アサイン情報伝文」、「合金鉄切出順位情報伝文」、「定周期情報伝文」等のプロコン受信伝文（図３のプロコン受信伝文登録画面３０で背景色があるもの）を登録することができる。
【００２４】
プロコン２００のＡＰ設計時には、プロコン受信伝文についての仕様書がシステム開発者等により作成されており、そのファイル３００が記憶装置１６０に格納される。図８には「定周期情報伝文」の仕様書の例を示す。「定周期情報伝文」は、定周期でプロコン２００が受信する伝文である。「定周期情報伝文」の仕様書では、データ項目、型、単位、バイト位置、バイトサイズ、データ仕様・説明、データの値の上下限、データ種別、備考が記述される。例えばＮｏ．１６の還流ガス支管（１）流量は、還流ガス支管（１）の流量計から定周期でプロコン２００が受信する伝文であり、時々刻々と変化する流量計の検出値であるのでデータ種別は「瞬時値」であることが定義されている。
【００２５】
また、図９には「ステータス情報伝文」の仕様書の例を示す。「ステータス情報伝文」は、製鋼工程上の設備の稼動状況に応じてプロコン２００が受信する伝文である。「ステータス情報伝文」の仕様書でも、データ項目、型、単位、バイト位置、バイトサイズ、データ仕様・説明、データの上下限、データ種別、備考が記述される。例えばＮｏ．２２の鍋上昇開始は、溶鋼の入った鍋が上昇開始したときにプロコン２００が受信する伝文であり、伝文の内容は鍋情報開始時にＯＮ＝「１」となることが定義されている。
【００２６】
「合金銘柄アサイン情報伝文」、「合金鉄切出順位情報伝文」等は、「ステータス情報伝文」の該当するデータ項目（例えば合金に関するデータ項目）のＯＮ（＝１）／ＯＦＦ（＝０）に従ってプロコン２００が受信する伝文である。すなわち、「ステータス情報伝文」は製鋼工程上の設備のＯＮ／ＯＦＦを定義し、「合金銘柄アサイン情報伝文」、「合金鉄切出順位情報伝文」等は「ステータス情報伝文」で定義される各タイミングでプロコン２００が受信する具体的な伝文を定義する。
【００２７】
例えば「定周期情報伝文」を登録するときは、図３に示すプロコン受信伝文登録画面３０において、格納フォルタ指定ボタン３１により、「定周期情報伝文」の仕様書（図８を参照）のファイル３００が格納されているフォルダを指定する。そして、選択ウィンドウ３２で「定周期情報伝文」を選択して、受信伝文登録ボタン３３を押下することにより、「定周期情報伝文」の仕様書のファイル３００を記憶装置１６０から読み込んで登録することができる。
【００２８】
また、「ステータス情報伝文」を登録するときは、図３に示すプロコン受信伝文登録画面３０において、選択ウィンドウ３２で「ステータス情報伝文」を選択すると、図４に示す設備ステータス伝文登録画面４０に移る。なお、この設備ステータス伝文登録画面４０には、図２に示すメニュー画面２０のステータス伝文登録画面ボタン２２を押下することでも移ることができる。そして、図４に示す設備ステータス伝文登録画面４０において、格納フォルタ指定ボタン４１により、「ステータス情報伝文」の仕様書のファイル３００（図９を参照）が格納されているフォルダを指定する。そして、選択ウィンドウ４２で「ステータス情報伝文」を選択して、ステータス伝文登録ボタン４３を押下することにより、「ステータス情報伝文」の仕様書のファイル３００を記憶装置１６０から読み込んで登録することができる。
【００２９】
ここで、定周期でプロコン２００が受信する「定周期情報伝文」であれば、プロコン２００に対してテスト支援装置１００からテストデータを定周期で送信すればよい。一方、製鋼工程上の設備の稼動状況に応じてプロコン２００が受信する「ステータス情報伝文」の場合、プロコン２００に対してテスト支援装置１００からテストデータを送信するタイミングを設定する必要がある。
【００３０】
「ステータス情報伝文」についてテストデータを送信するタイミングは、図５に示す設備ステータスイベント項目情報登録画面５０で設定することができる。図示例にあるように、選択欄５１で「ステータス情報伝文」を選択すると、現在登録されている「ステータス情報伝文」のデータ項目等の一覧５２が表示される。
【００３１】
一覧５２では、各データ項目に変更タイミング設定欄５３が設定されており、この変更タイミング設定欄５３においてテストデータを送信するタイミングを設定することができる。ここでは、テストデータを送信するタイミングをカウンタ値で設定するようになっている。テスト支援装置１００は、テストの開始とともにカウントを始め、所定のカウンタ値に達するとテストを終了する。１カウンタが実プロセスでいう何秒程度に相当するかは予め定められており、また、システム開発者は、実プロセスにおける製鋼工程上の各設備の稼動タイミングを把握している。したがって、テストの開始から終了（所定のカウント値に達するまで）を実プロセスに対応させることにより、各設備の稼動タイミングをカウンタ値として設定することができる。図示例では、製鋼工程において鍋上昇開始はカウンタ値が「１５」になったときにデータ値を「１」に変更するとして設定している。変更タイミング設定欄５３では、データ値を変更する単一のタイミング（単一のカウンタ値）だけでなく、「１００、２００、３００」のように複数のタイミング（複数のカウンタ値）を設定したり、「３４−２３５」のように期間（カウンタ値の範囲）を設定したりすることができる。
【００３２】
また、一覧５２では、各データ項目に編集ボタン５４が設定されており、編集ボタン５４を押下すると、別ウィンドウのイベント項目詳細情報設定画面５５が表示される。イベント項目詳細情報設定画面５５では、対応するイベント項目名が表示されるとともに、データ値変更タイミングでのプロコン受信伝文（「合金銘柄アサイン情報伝文」、「合金鉄切出順位情報伝文」等）を選択設定することができる。
【００３３】
（テスト支援装置１００によるテストの実行）
図１のテスト実行部１０３は、ユーザからの指示に応じてテストを開始する。本実施形態では、図２に示すＧＯＴシミュレータ画面ボタン２４を押下すると、図６に示すＧＯＴシミュレータ画面６０に移り、次に図６に示すＧＯＴシミュレータ画面６０において、開始ボタン６１を押下すると、テストが開始される。テスト実行部１０３は、テストの開始とともにカウントを始め、所定のカウンタ値に達するとテストを終了する。カウンタ値表示欄６５には現在のカウンタ値が表示され、進行状況表示バー６６にはテストの進行状態が表示される。なお、終了ボタン６２を押下することによりテストを途中で終了させることができる。また、中断ボタン６３を押下することによりテストを中断させ、再開ボタン６４を押下することによりテストを再開させることができる。
【００３４】
テスト実行部１０３は、テストを開始すると、受信伝文登録部１０１で登録されたプロコン受信伝文及びタイミング設定部１０２で設定されたタイミングに従ってテストデータをプロコン２００に送信する。
【００３５】
例えば上述した「定周期情報伝文」については、定周期で各データ項目のテストデータをプロコン２００に送信する。このとき、データ種別が「瞬時値」であれば、上下限の範囲内の乱数をテストデータとして送信する。また、データ種別が「積算値」であれば、例えば単位カウンタ値あたりの増加量をユーザが予め設定しておき、テストの開始後から送信のタイミングまでのカウンタ値に応じて求めた積算値をテストデータとして送信する。また、データ種別が「処理時間」であれば、上述したように１カウンタが実プロセスでいう何秒程度に相当するかを把握することができるので、カウンタ値から算出した処理時間をテストデータとして送信する。
【００３６】
また、例えば上述した「ステータス情報伝文」については、設備ステータスイベント項目情報登録画面５０で設定されたタイミングで各項目データのテストデータをプロコン２００に送信する。図５の例でいえば、データ項目「鍋上昇開始」については、カウンタ値が「１５」になったときにデータ値「１」をテストデータとして送信する。また、データ項目「真空排気中」については、カウンタ値が「２８―２３４」の間、データ値「１」をテストデータとして送信する。そして、「合金銘柄アサイン情報伝文」、「合金鉄切出順位情報伝文」等、データ値変更タイミングでのプロコン受信伝文が設定されていれば、そのテストデータをプロコン２００に送信する。「瞬時値」、「積算値」、「処理時間」のテストデータの生成については「定周期情報伝文」と同様である。
【００３７】
なお、ＧＯＴシミュレータ画面６０において、図示は省略するが、例えば「ステータス情報伝文」の所望のデータ項目についてテストデータ送信ボタンを設定できるようにしてもよい。テストデータ送信ボタンは、それを押下したタイミングで、当該データ項目のテストデータをプロコン２００に送信するためのものである。この場合、設備ステータスイベント項目情報登録画面５０で設定されたタイミングでないときにも、ユーザが任意のタイミングでテストデータ送信ボタンを押下して、当該データ項目のテストデータをプロコン２００に送信することができる。
【００３８】
（テストデータのデータログ記録）
データログ記録部１０４は、テスト実行部１０３によりプロコン２００に送信したテストデータのデータログを記録する。図７に示す送信データログ選択画面７０において、送信伝文データ設定欄７１で参照したい送信伝文（テストデータ）を選択し、送信伝文データの期間指定欄７２で参照したい送信伝文（テストデータ）の期間を指定することができる。そして、登録ボタン７３を押下すると、図１０に示すように送信伝文（テストデータ）を時系列に並べた一覧が表示される。
【００３９】
以上説明したように、プロコン２００に送信するテストデータを簡単に登録でき、しかも既設計算機とは運転状況が異なる場合や既設計算機がない場合でもテストを効率的に行うことができる。また、一旦構成したテスト支援装置１００を類似の製鋼工程のプロコン２０のテスト支援へ適用することが容易である。
【００４０】
上記実施形態では、プロコン２００が一つの製鋼工程のプロセスを制御、管理する例を説明したが、プロコン２００が複数の製鋼工程のプロセスを制御、管理することもある。この場合も、プロコン受信伝文の登録の仕方については同様である。また、例えば図６に示すＧＯＴシミュレータ画面６０において、製鋼工程を選択する選択ボタンを設定しておき、総合テストを行う製鋼工程を選択した上で、開始ボタン６１を押下すると、テストが開始されるようにすればよい。
【００４１】
なお、本発明を適用したテスト支援装置は、具体的にはＣＰＵ、ＲＯＭ、ＲＡＭ等を備えたコンピュータシステムにより構成することができ、ＣＰＵがプログラムを実行することによって実現される。また、本発明を適用したテスト支援装置は、一つの装置から構成されても、複数の機器から構成されてもよい。
【００４２】
また、本発明の目的は、上述したようにプロコン２００のテストを支援する機能を実現するソフトウェアのプログラムコードを記録した記憶媒体を、システム或いは装置に供給することによっても達成される。この場合、記憶媒体から読み出されたプログラムコード自体が上述した実施形態の機能を実現することになり、プログラムコード自体及びそのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【符号の説明】
【００４３】
１００：テスト支援装置
１０１：受信伝文登録部
１０２：タイミング設定部
１０３：テスト実行部
１０４：データログ記録部
１０５：Ｉ／Ｏ部
１５０：表示装置
１６０：記憶装置
２００：プロセス制御用計算機（プロコン）
２０１：Ｉ／Ｏ部
２０２：ＡＰ処理部
３００：プロコン受信伝文の仕様書のファイル
【図１】
0005381889.tif 000002
【図２】
0005381889.tif 000003
【図３】
0005381889.tif 000004
【図４】
0005381889.tif 000005
【図５】
0005381889.tif 000006
【図６】
0005381889.tif 000007
【図７】
0005381889.tif 000008
【図８】
0005381889.tif 000009
【図９】
0005381889.tif 000010
【図１０】
0005381889.tif 000011